(57)【要約】【課題】  デバイスと、当該デバイスを制御する制御装置とから成る制御システムにおいて、電源操作が容易であり、かつシステムの起動や終了に要する時間を短縮し得る制御システム、制御装置、および制御システムの制御方法を提供することをその課題とする。【解決手段】  電源スイッチを有するデバイスと、当該デバイスを制御する制御装置と、から構成される制御システムであって、制御装置は、外部電源接続口からの電源をデバイスに供給するとともに、デバイスの電源スイッチＯＮ／ＯＦＦを検出し、制御装置が起動状態であり電源スイッチＯＦＦを検出したとき、制御装置は起動状態からスタンバイ状態に切替わるとともに、制御装置がスタンバイ状態であり、電源スイッチＯＮを検出したとき、制御装置はスタンバイ状態から起動状態に切替わるものである。【選択図】  図６
2007080027.tif 000002
【特許請求の範囲】
【請求項１】
電源スイッチを有するデバイスと、
当該デバイスを制御する制御装置と、から構成される制御システムであって、
前記制御装置は、
外部電源接続口と、
前記外部電源接続口からの電源を前記デバイスに供給する電源供給回路と、
前記デバイスの電源スイッチＯＮ／ＯＦＦを検出する電源ＯＮ／ＯＦＦ検出手段と、
前記制御装置の状態を起動状態またはスタンバイ状態に切替える切替え手段と、を備え、
前記制御装置が前記起動状態であり、前記電源ＯＮ／ＯＦＦ検出手段が前記電源スイッチＯＦＦを検出したとき、前記切替え手段は、前記制御装置を前記起動状態から前記スタンバイ状態に切替えるとともに、
前記制御装置が前記スタンバイ状態であり、前記電源ＯＮ／ＯＦＦ検出手段が前記電源スイッチＯＮを検出したとき、前記切替え手段は、前記制御装置を前記スタンバイ状態から前記起動状態に切替えることを特徴とする制御システム。
【請求項２】
前記制御装置が前記起動状態であり、当該制御装置が一定時間動作しない場合、
前記切替え手段は、前記制御装置を前記起動状態から前記スタンバイ状態に切替えることを特徴とする請求項１に記載の制御システム。
【請求項３】
前記切替え手段は、
前記制御装置の前記スタンバイ状態が一定時間継続した場合、前記制御装置を当該スタンバイ状態からハイバネーション状態に切替えることを特徴とする請求項１または２に記載の制御システム。
【請求項４】
前記デバイスは印刷装置であって、
前記制御装置は、
前記印刷装置で印刷するための印刷データを生成する印刷データ生成手段、をさらに備えたことを特徴とする請求項１ないし３のいずれか１項に記載の制御システム。
【請求項５】
請求項１ないし４のいずれか１項に記載の制御システムに用いられる制御装置。
【請求項６】
電源スイッチを有するデバイスと、
当該デバイスを制御するとともに、外部電源接続口からの電源を前記デバイスに供給する電源供給回路を備えた制御装置と、から構成される制御システムの制御方法であって、
前記制御装置が、
前記デバイスの電源スイッチＯＮ／ＯＦＦを検出する電源ＯＮ／ＯＦＦ検出ステップと、
前記制御装置が前記起動状態であり、前記電源スイッチＯＦＦを検出したとき、前記制御装置を前記起動状態から前記スタンバイ状態に切替えるとともに、
前記制御装置が前記スタンバイ状態であり、前記電源スイッチＯＮを検出したとき、前記制御装置を前記スタンバイ状態から前記起動状態に切替える切替えステップと、を実行することを特徴とする制御システムの制御方法。
【発明の詳細な説明】
【技術分野】
【０００１】
本発明は、デバイスおよびこれを制御する制御装置から成る制御システム、制御装置、制御システムの制御方法に関するものである。
【背景技術】
【０００２】
従来、レシートを発行する印刷装置と、これを制御し、決済処理やレシート印刷データの生成を行う制御装置とから構成されるＰＯＳシステムにおいて、印刷装置と制御装置とをメンテナンス性を損ねることなく一体化し、専有面積を削減し得るＰＯＳシステムが開示されている（例えば特許文献１参照）。具体的には、制御装置の機能を収容した下部ハウジングの上に、印刷装置を収容した上部ハウジングを重ね、これら上下のハウジングによって印刷装置と制御装置とが一体化されるものである。
【特許文献１】特開平０８−１２３５７９号公報
【０００３】
この種のＰＯＳシステムでは、印刷装置の専有スペースに、印刷装置と制御装置との双方を設置でき、省スペース化が図れるとともに、印刷装置および制御装置はそれぞれ上部ハウジングおよび下部ハウジングに個別に収容されているので、個々にメンテナンス、交換、並びに機能拡充を図ることができ、印刷装置および制御装置の保守性を損ねる虞もない。
【発明の開示】
【発明が解決しようとする課題】
【０００４】
しかし、上述のＰＯＳシステムでは、印刷装置および制御装置をそれぞれ単体で機能し得る形態で一体化していることにより、電源供給系統が２系統であることが通常である。すなわち、印刷装置および制御装置それぞれが電源スイッチを有し、これらを使用する場合は、印刷装置および制御装置双方の電源スイッチを操作する必要がある。従って、操作が非常に煩雑であるとともに、一方の電源操作を試みた場合に、誤って他方の電源を操作してしまうなど誤操作の要因ともなりかねない。また、制御装置には通常ＯＳが搭載され、このＯＳとアプリケーションとが協働して、印刷装置の制御を始め決済処理やレシート印刷データの生成といった多様な制御を行っている。従って、印刷装置に比べ電源ＯＮ／ＯＦＦに応じた起動や終了処理に時間を要し大変不便であった。
【０００５】
上記の問題に鑑み、本発明は、上述のＰＯＳシステムに代表されるような、デバイスと、当該デバイスを制御する制御装置とから成る制御システムにおいて、電源操作が容易であり、かつシステムの起動や終了に要する時間を短縮し得る制御システム、制御装置、制御システムの制御方法を提供することをその課題とする。
【課題を解決するための手段】
【０００６】
本発明の制御システムは、電源スイッチを有するデバイスと、当該デバイスを制御する制御装置と、から構成される制御システムであって、制御装置は、外部電源接続口と、外部電源接続口からの電源をデバイスに供給する電源供給回路と、デバイスの電源スイッチＯＮ／ＯＦＦを検出する電源ＯＮ／ＯＦＦ検出手段と、制御装置の状態を起動状態またはスタンバイ状態に切替える切替え手段と、を備え、制御装置が起動状態であり、電源ＯＮ／ＯＦＦ検出手段が電源スイッチＯＦＦを検出したとき、切替え手段は、制御装置を起動状態からスタンバイ状態に切替えるとともに、制御装置がスタンバイ状態であり、電源ＯＮ／ＯＦＦ検出手段が電源スイッチＯＮを検出したとき、切替え手段は、制御装置をスタンバイ状態から起動状態に切替えることを特徴とする。
【０００７】
同様に、本発明の制御システムの制御方法は、電源スイッチを有するデバイスと、当該デバイスを制御するとともに、外部電源接続口からの電源をデバイスに供給する電源供給回路を備えた制御装置と、から構成される制御システムの制御方法であって、制御装置が、デバイスの電源スイッチＯＮ／ＯＦＦを検出する電源ＯＮ／ＯＦＦ検出ステップと、制御装置が起動状態であり、電源スイッチＯＦＦを検出したとき、制御装置を起動状態からスタンバイ状態に切替えるとともに、制御装置がスタンバイ状態であり、電源スイッチＯＮを検出したとき、制御装置をスタンバイ状態から起動状態に切替える切替えステップと、を実行することを特徴とする。
【０００８】
これらの構成によれば、制御装置には常時電源が供給されるとともに、制御装置の電源供給回路によって制御装置からデバイスへと電源が供給されるので、デバイスおよび制御装置の電源供給系統が一元化される。すなわち、ユーザが操作するのはデバイスの電源スイッチのみとなるので、制御装置およびデバイスそれぞれが電源スイッチを有する場合（電気系統が２系統である場合）と比較して操作が容易になると同時に誤操作を招く虞もない。
【０００９】
また、制御装置には常時電源が供給されるものの、デバイスの電源スイッチＯＦＦを検出した場合に自身をスタンバイ状態に切替えるので、デバイスの電源がＯＦＦである間、制御装置が消費する電気量は僅かとなり電力の浪費を抑制することができるとともに、制御装置が電源ＯＦＦとならずスタンバイ状態となることにより、制御装置の電源ＯＦＦに伴って必要となる終了処理を省略することがでる。さらに、デバイスの電源スイッチＯＮを検出した場合、制御装置がスタンバイ状態から起動状態に切替わるので、デバイスが起動すると同時に制御装置が起動状態となる。すなわち、ユーザがデバイスの電源スイッチをＯＮにするだけで、デバイスと制御装置とを同時に起動させることができる。また、制御装置はスタンバイ状態から起動状態に切替わるので、電源ＯＦＦの状態から起動する場合と比較して、起動にかかる時間も短縮される。
【００１０】
この場合、制御装置が起動状態であり、当該制御装置が一定時間動作しない場合、切替え手段は、制御装置を起動状態からスタンバイ状態に切替えることが好ましい。
【００１１】
この構成によれば、制御装置が起動状態であって、かつ一定時間動作しない場合、すなわち制御装置の起動を必要としない場合に、制御装置が起動状態からスタンバイ状態に切替わることによって、より電力を節約することが可能となる。
【００１２】
また、これらの場合、切替え手段は、制御装置のスタンバイ状態が一定時間継続した場合、制御装置を当該スタンバイ状態からハイバネーション状態に切替えることが好ましい。
【００１３】
この構成によれば、制御装置において、スタンバイ状態が一定時間継続した場合、制御装置がハイバネーション状態となることにより、停電など何らかの異常事態によって予期せず制御装置の電源がＯＦＦとなった場合でも、ハイバネーション状態となった時点のＣＰＵやメモリの情報はハードディスク上に記憶されている。すなわち、再度制御装置の電源が投入されたときに、制御装置がハードディスクに書き込んだ制御データを読出すことによって、制御装置をハイバネーション状態となった時点に復元することができる。従って、予期せず電源が遮断されることによる制御装置の障害を未然に防止することが可能となる。なお、「ハイバネーション状態」とは、制御装置が、ＣＰＵやメモリの情報をハードディスクに書き込んだ後、省電力状態に遷移した状態を意味する。
【００１４】
さらに、これらの場合、デバイスは印刷装置であって、制御装置は、印刷装置で印刷するための印刷データを生成する印刷データ生成手段、をさらに備えることが好ましい。
【００１５】
この構成によれば、上記のいずれか１に記載の制御システムを、印刷装置と、当該印刷装置で印刷するための印刷データを生成するとともに、印刷装置を制御する制御装置と、から成る印刷システムに適用することができる。
【００１６】
本発明の制御装置は、上記のいずれか１に記載の制御システムに用いられることを特徴とする。
【００１７】
これを用いることにより、電源操作が容易であり、かつシステムの終了に要する時間を短縮し得る本発明の制御システムを実現することができる。
【発明を実施するための最良の形態】
【００１８】
以下、本発明の一実施形態に係る制御システム、制御装置、制御システムの制御方法について、添付図面を参照しながら詳細に説明する。本発明は、デバイスおよびこれを制御する制御装置から構成される制御システムに関するものである。そこで、本発明の制御システム等を、主にレシートを印刷する印刷装置と、この印刷装置を制御するとともに、決済処理やレシート印刷データの生成を行う制御装置と、から構成されるＰＯＳシステムに適用して説明する。
【００１９】
図１は、本実施形態に係るＰＯＳシステム１の外観斜視図であり、図２はＰＯＳシステム１の制御ブロック図である。両図に示すように、ＰＯＳシステム１は、印刷装置５０と、この印刷装置５０を制御するとともに、印刷装置５０で印刷するためのレシート印刷データの生成や決済処理を行う制御装置１０と、から構成され、印刷装置５０および制御装置１０は図示せぬケーブルによって接続されている。そして、印刷装置５０は制御装置１０上部に載置されており、印刷装置５０および制御装置１０が一体化した構成となっている。
【００２０】
制御装置１０には、その背面側に、入出力インターフェース１１、通信インターフェース１２、並びに外部電源から電源を供給する外部電源接続口２１（図２参照）が配設され、入出力インターフェース１１にはキーボード１３およびディスプレイ１４といった入出力デバイスが接続されている。また図２に示すように、制御装置１０内部には、外部電源接続口２１からの電源を印刷装置５０に供給する電源供給回路２２と、この電源供給回路２２から印刷装置電源回路５７（後述する）の電流状態に関する信号を検出する電源監視部２３と、制御装置１０全体を統括制御する制御部３０と、を備えている（何れも図２参照）。そして、制御部３０はＣＰＵ（ＭＰＵ）３１、フラッシュＲＯＭ３２等から構成され、これらが内部バス３３を介して入出力ポート３４と接続されている。
【００２１】
また、フラッシュＲＯＭ３２には、ＢＩＯＳ３５や組み込み用のＯＳ３６、並びに決済処理を行うとともに、レシートに印刷するための印刷データを生成する決済処理アプリケーション３７（印刷データ生成手段）が格納されている。そして、この制御部３０によって各種の処理が実行されることにより、印刷装置５０の制御や印刷データの生成といった多様な処理が実現される。また、制御装置１０には、制御装置１０自身をスタンバイ状態（省電力状態）とするスタンバイ機能が搭載され、キーボード１３による入力が一定時間行われないなど、制御装置１０が一定時間動作しない場合には、自身をスタンバイ状態とする。
【００２２】
一方印刷装置５０は、図１に示すように、前面に電源スイッチ５１が配設されるとともに、上面には印刷済みのレシートＲを排出する排出口５２が形成されており、印刷装置５０内部には、レシート用紙となるロール紙が収容され、このロール紙の送りを行う紙送り部５３と、紙送り部５３の送りに同期してロール紙に印刷を行う印刷部５４と、ロール紙の印刷済み部分を切断する切断部５５と、これらを制御する印刷制御部５６と、を備えている（何れも図２参照）。さらに印刷装置５０は、電源スイッチ５１のＯＮ／ＯＦＦに応じて、印刷装置５０各部へ電源を供給する印刷装置電源回路５７（図２参照）を有し、この印刷装置電源回路５７は、制御装置１０の電源供給回路２２から電源を供給している。
【００２３】
続いて、ＰＯＳシステム１（制御装置１０および印刷装置５０）の電源供給系統について、図３を参照して説明する。同図（ａ）は、ＰＯＳシステム１の電源供給系統を表す模式図であり、同図（ｂ）は、制御装置１０の外部電源接続口２１および電源供給回路２２の模式図である。同図（ａ）に示すように、制御装置１０は外部電源接続口２１から電源を供給し、電源供給回路２２を介して電源が制御装置１０各部へと供給されるとともに、電源供給回路２２から印刷装置電源回路５７に電源が供給される。印刷装置電源回路５７は、電源供給回路２２から供給された電源を印刷装置５０の電源スイッチＯＮ／ＯＦＦに応じて印刷装置５０各部へ供給する。
【００２４】
また、同図（ｂ）に示すように、制御装置１０の電源供給回路２２は、電圧を可変する電圧可変回路２２ａと、印刷装置電源回路５７と接続され、印刷装置電源回路５７の電流状態を検出する電流検出回路２２ｂ（電源ＯＮ／ＯＦＦ検出手段）と、を備えている。両図に図示するように、例えば外部電源接続口２１から＋２４Ｖの電源を供給した場合、電圧可変回路２２ａを介して＋１２Ｖ、＋５Ｖ、＋３．３Ｖの出力が可能となっている。このとき印刷装置電源回路５７にはそのまま＋２４Ｖの電源が供給される。また、電流検出回路２２ｂは、印刷装置電源回路５７の電流状態を検出し、その検出結果を同図（ａ）に示す電源監視部２３に送信する。
【００２５】
具体的には、印刷装置電源回路５７における電流の減少を検出することによって、印刷装置５０の電源スイッチＯＦＦを検出するとともに、印刷装置電源回路５７における電流の増加を検出することによって、印刷装置５０の電源スイッチＯＮを検出する。そして、電源監視部２３は、電流検出回路２２ｂから受信した検出結果に応じた信号を、さらに制御部３０へと送信する。
【００２６】
なお、このような制御は、制御装置１０が上述のスタンバイ機能を利用し、印刷装置５０の電源スイッチＯＮ／ＯＦＦに応じて自身を起動状態またはスタンバイ状態に切替えるために行われるものである。そこで以下、制御装置１０の起動状態またはスタンバイ状態への切替え制御について図４を参照し説明する。なお、同図（ａ）は制御装置１０の起動状態からスタンバイ状態への切替えを表し、同図（ｂ）はスタンバイ状態から起動状態への切替えを表すものである。
【００２７】
同図（ａ）に示すように、制御装置１０が起動状態であるとき、電源供給回路２２（電流検出回路２２ｂ；図３（ｂ）参照）により印刷装置５０の電源スイッチＯＦＦを検出した場合、電流検出回路２２ｂは、電源監視部２３にスリープ信号を送信する。そして、電源監視部２３は、電流検出回路２２ｂからスリープ信号を受信すると、スタンバイ状態への切替えを促すためのスタンバイ信号を制御部３０へ送信する。さらに、制御部３０はスタンバイ信号を電源監視部２３から受信すると、制御装置１０を起動状態からスタンバイ状態に切替えるための制御を開始し、制御装置１０がスタンバイ状態となる。この間、電源監視部２３からはスタンバイ信号が送信し続けられており、制御部３０からはスタンバイ信号に対する応答信号が電源監視部２３に送信されている。
【００２８】
また、同図（ｂ）に示すように、制御装置１０がスタンバイ状態であるとき、電流検出回路２２ｂにより印刷装置５０の電源スイッチＯＮを検出した場合、電流検出回路２２ｂは、電源監視部２３にウェイクアップ信号を送信する。そして、電源監視部２３は、電流検出回路２２ｂからウェイクアップ信号を受信すると、制御部３０へのスタンバイ信号送信を解除する。そして、制御部３０は電源監視部２３からのスタンバイ信号が解除されると、制御装置１０をスタンバイ状態から起動状態に切替えるための制御を開始し、制御装置１０が起動状態となる。すなわち、請求項にいう「切替え手段」とは、制御装置１０の電源監視部２３および制御部３０に相当するものである。なお、制御装置１０がスタンバイ状態であっても、電源供給回路２２から制御装置１０各部への電源は供給されたままとなる。
【００２９】
ここで、制御装置１０に電源が供給されたときに行われる制御について、図５のフローチャートを参照して説明する。同図に示すように、まず制御装置１０の外部電源接続口２１から、電源供給回路２２に電源が供給されると（Ｓ０１）、制御部３０に格納されたＢＩＯＳ３５が起動し（Ｓ０２）、続いてＯＳ３６が起動し（Ｓ０３）、さらに決済処理アプリケーション３７が起動する（Ｓ０４）。そして、印刷装置５０の電源スイッチＯＮ／ＯＦＦを検出し（Ｓ０５）、電源スイッチＯＮを検出した場合には（Ｓ０５：Ｙｅｓ）、そのまま起動状態を継続する（Ｓ０６）。一方、電源スイッチＯＦＦを検出した場合には（Ｓ０５：Ｎｏ）、制御装置１０はスタンバイ状態となる（Ｓ０７）。なおこの制御は、制御装置１０に電源が供給されたとき、最初に１度だけ行われるものであり、この後制御装置１０は、電源ＯＦＦ状態とはならず印刷装置５０の電源スイッチＯＮ／ＯＦＦに応じて常時スタンバイ状態または起動状態となる。
【００３０】
さらに、図６のフローチャートを参照し、制御装置１０がスタンバイ状態または起動状態へ切替わるタイミングについて、具体的に説明する。同図に示すように、制御装置１０が起動状態であるとき（Ｓ１１）、印刷装置５０の電源ＯＦＦを検出する（Ｓ１２：Ｙｅｓ）、若しくは制御装置１０が動作しない状態が一定時間継続した場合には（Ｓ１３：Ｙｅｓ）、制御装置１０はスタンバイ状態となる（Ｓ１４）。なお、印刷装置５０の電源ＯＦＦを検出しない（Ｓ１２：Ｎｏ）、若しくは制御装置１０が動作しない状態が一定時間継続しない（Ｓ１３：Ｎｏ）間、制御装置１０は起動状態を維持する。
【００３１】
一方、制御装置１０がスタンバイ状態であるとき（Ｓ１４）、印刷装置５０の電源ＯＮを検出する（Ｓ１５：Ｙｅｓ）、若しくはキーボード１３からの入力操作が行われる等の割り込みが発生した場合には（Ｓ１６：Ｙｅｓ）、再び制御装置１０は起動状態に切り替わる（Ｓ１１）。また、起動状態と同様に、印刷装置５０の電源ＯＮを検出しない（Ｓ１５：Ｎｏ）、若しくは割り込みが発生しない（Ｓ１６：Ｎｏ）間、制御装置１０はスタンバイ状態を維持する。
【００３２】
なお、本実施形態に係る制御装置１０は、ＣＰＵ３１やメモリ（フラッシュＲＯＭ３２）の情報である制御データが不揮発性メモリ（フラッシュＲＯＭ３２）上に展開されるため、何らかの要因により急に電源が遮断されたとしても制御データが失われる危険性はないが、例えばＷｉｎｄｏｗｓ（登録商標）等に代表される、ＰＣに搭載されるような通常のＯＳをハードディスクで使用するといった構成の場合、制御データは揮発性メモリ上に展開されるのが通常である。このような構成の制御装置１０では、スタンバイ状態が一定時間継続したとき、スタンバイ状態からさらにハイバネーション状態に切替わることが好ましい。なお、「ハイバネーション状態」とは、制御装置１０が、ＣＰＵやメモリの情報をハードディスクに書き込んだ後、省電力状態に遷移した状態を意味する。
【００３３】
具体的には、制御部３０において、制御装置１０の起動状態からスタンバイ状態への切替えを起点として計時を行い、スタンバイ状態のまま一定時間が継続したとき、さらに制御装置１０は自身をスタンバイ状態からハイバネーション状態に切替えることとなる。この構成により、停電や故障といった何らかの要因で電流が遮断されるようなことがあっても、制御装置１０はハイバネーション状態となっていることにより、制御データが失われる危険性がない。また、ハイバネーション状態から起動状態への切替えは、スタンバイ状態同様、印刷装置５０の電源ＯＮを検出する、若しくはキーボード１３からの入力操作が行われる等割り込みの発生をトリガとして行われる。
【００３４】
以上説明したように、本実施形態に係るＰＯＳシステム１は、制御装置１０に常時電源が供給されるとともに、制御装置１０の電源供給回路によって制御装置１０から印刷装置５０へと電源が供給されるので、印刷装置５０および制御装置１０の電源供給系統が一元化される。すなわち、ユーザが操作するのは印刷装置５０の電源スイッチ５１のみとなるので、制御装置１０および印刷装置５０それぞれが電源スイッチを有する場合（電気系統が２系統である場合）と比較して操作が容易になると同時に誤操作を招く虞もない。
【００３５】
また、制御装置１０には常時電源が供給されるものの、印刷装置５０の電源スイッチＯＦＦを検出した場合に自身をスタンバイ状態に切替えるので、印刷装置５０の電源がＯＦＦである間、制御装置１０が消費する電気量は僅かとなり電力の浪費を抑制することができるとともに、制御装置１０が電源ＯＦＦとならずスタンバイ状態となることにより、制御装置の電源ＯＦＦに伴って必要となる終了処理を省略することができる。
【００３６】
さらに、印刷装置５０の電源スイッチＯＮを検出した場合、制御装置１０がスタンバイ状態から起動状態に切替わるので、印刷装置５０が起動すると同時に制御装置１０が起動状態となる。すなわち、ユーザが印刷装置５０の電源スイッチをＯＮにするだけで、印刷装置５０と制御装置１０とを同時に起動させることができる。また、制御装置１０はスタンバイ状態から起動状態に切替わるので、電源ＯＦＦの状態から起動する場合と比較して、起動にかかる時間も短縮される。
【００３７】
また、スタンバイ状態に程度の差を設けてもよい。具体的には、スタンバイ状態から起動状態への切替え速度が最重視される場合には、本実施形態のように電源を供給したままとし、反対に、切替え速度よりも省電力が最重視される場合には、スタンバイ状態からの復帰に必要な回路にのみ電源を供給し、他は電源供給を遮断する構成でもよい。この構成により、ＰＯＳシステム１の使用環境やユーザの要望に応じたスタンバイ状態を実現することが可能となる。
【００３８】
さらに、ＰＯＳシステム１の都合に応じて、制御装置１０の電源ＯＮ／ＯＦＦを切替えるための電源スイッチ、すなわちＰＯＳシステム１の主電源を操作するためのスイッチを制御装置１０に設けてもよい。但しこの場合、例えば制御装置１０の裏面など、ユーザが印刷装置５０の電源スイッチ５１と混同することがないよう、極力目立たぬ場所に配設することが好ましい。
【００３９】
また、本実施形態に係るＰＯＳシステム１は、制御装置１０および印刷装置５０を外付けして一体構成しているが、制御装置１０および印刷装置５０をそれぞれ単体で機能させ得る状態で、印刷装置５０に制御装置１０を内蔵させる構成であってもよい。
【００４０】
なお、本実施形態では、デバイスとして印刷装置５０を例に挙げ、制御装置１０が印刷データを生成する構成を説明したが、デバイスは印刷装置５０に限られるものではなく、デバイスおよびこれを制御する制御装置から成る制御システムにおいて、本実施形態に係るＰＯＳシステム１を適用可能であることは言うまでもない。
【図面の簡単な説明】
【００４１】
【図１】制御装置および印刷装置の外観斜視図である。
【図２】ＰＯＳシステム（制御装置、印刷装置）の制御構成図である。
【図３】ＰＯＳシステムの電源供給系統を表す模式図および制御装置の外部電源接続口および電源供給回路の模式図である。
【図４】制御装置１０の起動状態からスタンバイ状態への切替え、およびスタンバイ状態から起動状態への切替えを説明する説明図である。
【図５】制御装置の電源供給時に行われる制御を表すフローチャートである。
【図６】制御装置がスタンバイ状態または起動状態へ切替わるタイミングを表すフローチャートである。
【符号の説明】
【００４２】
１…ＰＯＳシステム  １０…制御装置  ２１…外部電源接続口  ２２…電源供給回路  ２３…電源監視部  ３０…制御部  ３７…決済処理アプリケーション  ５０…印刷装置  ５１…電源スイッチ
【図１】
2007080027.tif 000003
【図２】
2007080027.tif 000004
【図３】
2007080027.tif 000005
【図４】
2007080027.tif 000006
【図５】
2007080027.tif 000007
【図６】
2007080027.tif 000008